(57)【要約】【課題】処方箋に記載されている投薬の時間などを判別して、投薬の時間を患者に報知する。【解決手段】投薬時間報知システムにおいて、制御部２１は、撮像カメラ１４により撮像された処方箋の画像における文字列を抽出し、当該抽出した文字列を記憶部１８に記憶されている投薬の時間に係るキーワードと照合して、当該抽出した文字列に一致するキーワードを検出した場合に、計時部２２により計時された時間が当該検出したキーワードに対応する投薬の時間に一致するか否かを判定し、一致すると判定したときにアラーム発音部１６を起動させる【選択図】図２
2020057204.tif 000002
【特許請求の範囲】
【請求項１】
処方箋の画像を撮像する撮像部と、
投薬の時間に関するキーワードと投薬の時間を対応付けて予め記憶した記憶部と、
時間を計時する計時部と、
報知を行う報知部と、
前記撮像部により撮像された処方箋の画像における文字列を抽出し、当該抽出した文字列を前記記憶部に記憶されている投薬の時間に関する前記キーワードと照合して、当該抽出した文字列に一致する前記キーワードを検出した場合に、当該検出したキーワードに対応する投薬の時間を報知時間として設定しておき当該設定した報知時間に、前記計時部により計時された時間が一致すると判定したときに、前記報知部に報知を行わせる制御部と、を備える投薬時間報知システム。
【請求項２】
前記撮像部により撮像された処方箋の画像を表示する表示部を更に備え、
前記制御部は、前記抽出した文字列を、前記対応する投薬の時間を示す語句に置き換えて、前記処方箋の画像を前記表示部に表示させる請求項１に記載の投薬時間報知システム。
【請求項３】
前記記憶部には、更に、薬剤の処方に関するキーワードと、薬剤の処方を示す語句とが予め対応付けて記憶され、
前記制御部は、前記抽出した文字列を前記記憶部に記憶されている薬剤の処方に関するキーワードと照合して、当該抽出した文字列に一致するキーワードを検出した場合に、当該検出したキーワードに対応する薬剤の処方を示す語句を前記記憶部から読出し、当該検出したキーワードを当該読出した薬剤の処方を示す語句に置き換えて、前記処方箋の画像を前記表示部に表示させる請求項２に記載の投薬時間報知システム。
【請求項４】
ユーザーによる操作に基づいて指示が入力される操作部と、
前記撮像部により撮像された処方箋の画像を表示する表示部と、
ネットワーク上のストレージとの間でデータ通信を行う通信部と、を更に備え、
前記制御部は、前記操作部の操作により前記表示部に表示されている処方箋の画像における文字列が検索対象として指示されると、当該検索対象として指示された文字列に対応する情報を、前記通信部を通じて前記ネットワーク上のストレージから検索し、前記検索対象とされた文字列を、当該検索により得た情報に置き換えて、前記表示部に表示させる請求項１に記載の投薬時間報知システム。
【請求項５】
情報処理装置と、当該情報処理装置と通信可能なネットワーク上のサーバーとを備え、
前記情報処理装置は、前記撮像部、前記計時部、前記報知部、及び前記制御部を備え、
前記サーバーは、前記記憶部を備える請求項１乃至請求項３のいずれかに記載の投薬時間報知システム。
【請求項６】
処方箋の画像を撮像する撮像部と、
投薬の時間に関するキーワードと投薬の時間を対応付けて予め記憶した記憶部と、
時間を計時する計時部と、
報知を行う報知部と、
前記撮像部により撮像された処方箋の画像における文字列を抽出し、当該抽出した文字列を前記記憶部に記憶されている投薬の時間に関する前記キーワードと照合して、当該抽出した文字列に一致する前記キーワードを検出した場合に、当該検出したキーワードに対応する投薬の時間を報知時間として設定しておき当該設定した報知時間に、前記計時部により計時された時間が一致すると判定したときに、前記報知部に報知を行わせる制御部と、を備える携帯端末装置。
【発明の詳細な説明】
【技術分野】
【０００１】
本発明は、投薬の時間を報知する投薬時間報知システム及び携帯端末装置に関し、特に処方箋の記載内容に基づき投薬の時間を報知するための技術に関する。
【背景技術】
【０００２】
病院などの医療施設では、患者に処方される薬剤などを処方箋に記載して、この処方箋を患者に渡している。患者は、その処方箋を薬局に見せて、この処方箋に記載されている薬剤などを薬局から購入する。しかしながら、多くの患者は、医療や薬剤に関する知識が乏しく、処方箋を見ても、その記載内容を理解することが困難である。また、処方箋が手書きである場合は、その記載内容の読取りさえできないことがある。
【０００３】
特許文献１に記載の文字認識システムでは、カルテ上のシェーマ（人体部位の図形）のシェーマ情報を取得すると共に、シェーマに書き込まれた手書き文字を取得し、シェーマ情報に基づきカルテの手書き部位に関する語彙を設定し、この語彙に基づき手書き文字を認識して、手書きされた文字の認識精度を向上させている。
【０００４】
また、特許文献２に記載のカルテ翻訳システムでは、カルテに書き込まれた用語を特定し、この用語が示す意味内容から患者が理解できるような説明を設定して、この説明を患者に提示し、患者が医師等の手間を掛けることなく自分のカルテの記載内容を理解できるようにしている。
【先行技術文献】
【特許文献】
【０００５】
【特許文献１】特開２０１４−０２６４３１号公報
【特許文献２】特開平１０−１２４５９９号公報
【発明の概要】
【発明が解決しようとする課題】
【０００６】
ここで、上記のように特許文献１では、手書き文字の認識精度の向上を図っている。また、特許文献２では、医師が書き込んだ用語が示す意味内容から患者が理解できるような説明を設定して、この説明を患者に提示している。
【０００７】
しかしながら、特許文献１及び特許文献２に記載の技術の利用により、処方箋の記載内容を読取って理解できるようになったとしても、患者が処方箋に記載されている投薬の時間を忘れることがある。このため、投薬の時間を忘れないようにケアを行えることが望ましい。
【０００８】
本発明は、上記の事情に鑑みなされたものであり、処方箋に記載されている投薬の時間を判別して、投薬の時間を患者に報知することを目的とする。
【課題を解決するための手段】
【０００９】
本発明の一局面にかかる投薬時間報知システムは、処方箋の画像を撮像する撮像部と、投薬の時間に関するキーワードと投薬の時間を対応付けて予め記憶した記憶部と、時間を計時する計時部と、報知を行う報知部と、前記撮像部により撮像された処方箋の画像における文字列を抽出し、当該抽出した文字列を前記記憶部に記憶されている投薬の時間に関する前記キーワードと照合して、当該抽出した文字列に一致する前記キーワードを検出した場合に、当該検出したキーワードに対応する投薬の時間を報知時間として設定しておき当該設定した報知時間に、前記計時部により計時された時間が一致すると判定したときに、前記報知部に報知を行わせる制御部と、を備えるものである。
【００１０】
本発明の一局面にかかる携帯端末装置は、処方箋の画像を撮像する撮像部と、投薬の時間に関するキーワードと投薬の時間を対応付けて予め記憶した記憶部と、時間を計時する計時部と、報知を行う報知部と、前記撮像部により撮像された処方箋の画像における文字列を抽出し、当該抽出した文字列を前記記憶部に記憶されている投薬の時間に関する前記キーワードと照合して、当該抽出した文字列に一致する前記キーワードを検出した場合に、当該検出したキーワードに対応する投薬の時間を報知時間として設定しておき当該設定した報知時間に、前記計時部により計時された時間が一致すると判定したときに、前記報知部に報知を行わせる制御部と、を備えるものである。
【発明の効果】
【００１１】
本発明によれば、処方箋に記載されている投薬の時間を判別して、投薬の時間を患者に報知することができる。
【図面の簡単な説明】
【００１２】
【図１】本発明の一実施形態にかかる投薬時間報知システムとしての携帯端末装置と、更にサーバーを示す概略図である。
【図２】本発明の一実施形態にかかる投薬時間報知システムとしての携帯端末装置の構成を示すブロック図である。
【図３】処方箋の画像に基づき投薬の時間や薬剤の処方を検出する処理を示すフローチャートである。
【図４】携帯端末装置の撮像カメラにより撮像された処方箋の元画像を示す図である。
【図５】撮像された処方箋の元画像と、テキストの活字又は手書き文字を予め設定されたフォントに変換してなる処方箋の変換画像とを並べて表示部に表示した状態を示す図である。
【図６】投薬の時間に係る複数のキーワードとそれぞれの投薬の時間とを対応付けると共に、薬剤の処方に係る複数のキーワードとそれぞれの薬剤の処方を示す語句とを対応付けて記憶したデータベースを概念的に示す図である。
【図７】複数のキーワードを投薬の時間及び薬剤の処方を示す語句に置き換えてなる処方箋の変換画像を示す図である。
【図８】編集された処方箋の変換画像を示す図である。
【図９】投薬の時間を示すスケジュールデータを概念的に示す図である。
【図１０】投薬の時間を報知する処理を示すフローチャートである。
【発明を実施するための形態】
【００１３】
以下、本発明の実施形態について図面を参照して説明する。
【００１４】
図１は、本発明の一実施形態にかかる投薬時間報知システムとしての携帯端末装置と、更にサーバーを示す概略図である。図２は、本発明の一実施形態にかかる投薬時間報知システムとしての携帯端末装置の構成を示すブロック図である。
【００１５】
本実施形態に係る投薬時間報知ユニット１は、ＬＡＮやインターネットなどを通じて相互にデータ通信を行う携帯端末装置１０及びサーバー３０を備えている。
【００１６】
本発明の一実施形態にかかる投薬時間報知システムとしての携帯端末装置１０は、例えばスマートフォンやモバイル機器などである。携帯端末装置１０は、表示部１１と、タッチパネル１２と、物理キー１３と、撮像カメラ１４と、ネットワーク通信部１５と、アラーム発音部１６と、記憶部１８と、制御ユニット１９とを備えている。これらの構成要素は、互いにバスを通じてデータ又は信号の送受信が可能とされている。
【００１７】
表示部１１は、液晶ディスプレイ（ＬＣＤ：Liquid Crystal Display）や有機ＥＬ（ＯＬＥＤ：Organic Light-Emitting Diode）などから構成される。例えば、表示部１１の画面には、複数のアイコンが表示される。
【００１８】
タッチパネル１２は、所謂抵抗膜方式や静電容量方式等のタッチパネルである。タッチパネル１２は、表示部１１の画面に配置され、当該タッチパネル１２に対するユーザーの指などの接触（タッチ）をその接触位置と共に検知し、表示部１１の画面に対するユーザーの指示を入力する。従って、タッチパネル１２は、表示部１１の画面に対するユーザー操作が入力される操作部としての役割を果たす。
【００１９】
また、携帯端末装置１０は、ユーザー操作が入力される操作部として、上記のタッチパネル１２に加えて物理キー１３を備えている。
【００２０】
撮像カメラ１４は、レンズ及び撮像素子（ＣＣＤ、ＣＭＯＳなど）を備えるカメラであって、外部の画像を撮像して、この画像を示す画像データを出力する。撮像カメラ１４は、特許請求の範囲における撮像部の一例である。
【００２１】
ネットワーク通信部（ＮＷ通信部）１５は、不図示のＬＡＮチップなどの通信モジュールを備える通信インターフェイスである。このネットワーク通信部１５は、ＬＡＮやインターネットなどを通じてサーバー３０などに接続される。
【００２２】
アラーム発音部１６は、アラーム装置であり、警報音を発する。記憶部１８は、ＲＡＭ（Random Access Memory）、ＨＤＤ（Hard Disk Drive）などの記憶装置であり、各種のアプリケーションプログラムや種々の情報等を記憶している。アラーム発音部１６は、特許請求の範囲における報知部の一例である。
【００２３】
制御ユニット１９は、プロセッサー、ＲＡＭ（Random Access Memory）、及びＲＯＭ（Read Only Memory）等から構成される。プロセッサーは、例えばＣＰＵ（Central Processing Unit）、ＡＳＩＣ（Application Specific Integrated Circuit）、又はＭＰＵ（Micro Processing Unit）等である。制御ユニット１９は、上記のＲＯＭ又は記憶部１８に記憶された制御プログラムが上記のプロセッサーで実行されることにより、制御部２１として機能する。
【００２４】
制御ユニット１９は、表示部１１、タッチパネル１２、物理キー１３、撮像カメラ１４、ネットワーク通信部１５、アラーム発音部１６、及び記憶部１８などと接続されており、これらの構成要素の動作制御や、当該各構成要素との間での信号またはデータの送受信を行う。
【００２５】
制御部２１は、種々の処理を実行する処理部としての役割を果たす。また、制御部２１は、表示部１１の表示動作及びネットワーク通信部１５の通信動作を制御する機能を有する。計時部２２は、計時を行うタイマーであり、例えば現在の日時を計時する。
【００２６】
ここで、携帯端末装置１０のユーザーが、当該携帯端末装置１０の撮像カメラ１４により処方箋の画像を撮像し、この処方箋の判別を指示すると、制御部２１は、その処方箋の画像における文字を示す画像を解析し、この解析した文字が示すテキストを抽出する。そして、制御部２１は、その抽出したテキストに含まれる予め設定されたキーワードを検出して、このキーワードに対応する投薬の時間を検出し、計時部２２により計時された時間がその検出した時間に達すると、アラーム発音部１６により警報音を発音させる。
【００２７】
また、制御部２１は、その抽出したテキストに含まれる予め設定された他のキーワードを検出して、この他のキーワードに対応する薬剤の処方を示す語句を検出し、上記投薬の時間及びその薬剤の処方を示す語句を表示部１１の画面に表示させる。
【００２８】
これにより、ユーザーに対しては、処方箋に記載されている投薬の時間がアラームで報知され、また薬剤の時間及び薬剤の処方が表示部１１の画面上で知らされる。
【００２９】
次に、上記のように携帯端末装置１０の撮像カメラ１４により撮像された処方箋の画像に基づき投薬の時間や薬剤の処方を検出するための処理を、図３に示すフローチャートなどを参照して詳細に説明する。
【００３０】
まず、携帯端末装置１０のユーザーは、撮像カメラ１４による撮像領域に処方箋を配置し、撮像カメラ１４により当該処方箋を撮像可能な状態とし、例えば表示部１１の画面に表示されているアイコンをタッチ操作して、撮像カメラ１４による撮影指示を入力する。制御部２１は、タッチパネル１２を通じて、当該指示を受け付けると、撮像カメラ１４を起動させて、撮像カメラ１４により撮像範囲にある処方箋を撮像させる（Ｓ１０１）。
【００３１】
続いて、制御部２１は、上記撮像により得られた処方箋を示す画像を撮像カメラ１４から取り込み、その取り込んだ処方箋の画像（以下、処方箋の元画像と称す）を、静止画像として表示部１１の画面に表示させる（Ｓ１０２）。例えば、図４に示すような処方箋の元画像ＰＡが撮像カメラ１４により撮像されて表示部１１の画面に表示される。また、制御部２１は、表示部１１の画面に、処方箋の元画像ＰＡと共に、検索キーＫ１１、編集キーＫ１２、登録キーＫ１３も表示させる。
【００３２】
そして、制御部２１は、処方箋の元画像ＰＡを解析し、元画像ＰＡに含まれる文字を認識して、この認識した文字からなるテキストを抽出する（Ｓ１０３）。詳しくは、記憶部１８には、処方箋の元画像を解析して、処方箋の元画像に含まれる文字を認識するための既知のＯＣＲ機能を備えるアプリケーションが記憶されている。制御部２１は、そのアプリケーションを実行し、処方箋の元画像に含まれる文字を認識し、この認識した文字からなるテキストを抽出する。このアプリケーションが備えるＯＣＲ機能は、処方箋に書き込まれている手書き文字及び活字のいずれも認識可能なものとする。
【００３３】
例えば、制御部２１は、上記ＯＣＲ機能により、図４に示す処方箋の元画像ＰＡにおける文字を示す画像ｉｍ１〜ｉｍ８の各部分に基づいて、対応するテキストＴＡ１〜ＴＡ８を認識して抽出する。各画像ｉｍ１〜ｉｍ３は、活字を示す画像からなり、画像ｉｍ１は「処方箋」、画像ｉｍ２は「患者氏名…」、画像ｉｍ３は「生年月日…」をそれぞれ示している。各画像ｉｍ４〜ｉｍ７は、手書きの文字を示す画像からなり、画像ｉｍ４は「アモキシリン  ２５０ｍｇ錠剤」、画像ｉｍ５は「ＴＴ錠  ｐ．ｏ．ｔ．ｉ．ｄｘ７日」、画像ｉｍ６は「投与＃42」、画像ｉｍ７は「補充なし」をそれぞれ示している。画像ｉｍ８は、活字からなる「担当医署名」、及び手書きの文字からなる「Ｔａｒｏ  Ｋｙｏｓｅｅ」を示している。
【００３４】
制御部２１は、Ｓ１０３で抽出した各テキストを予め設定されたフォントに変換して処方箋の変換画像ＰＢを生成し、この処方箋の変換画像ＰＢを処方箋の元画像ＰＡと並べて表示部１１の画面に表示させる（Ｓ１０４）。これにより、例えば図５に示すように撮像カメラ１４から取り込んだ処方箋の元画像ＰＡと、文字を示す画像部分がテキストに変換された処方箋の変換画像ＰＢが表示部１１の画面に並べて表示される。
【００３５】
続いて、制御部２１は、Ｓ１０３で抽出した各テキストＴＡ１〜ＴＡ８別に、テキストに含まれる文字列を、記憶部１８内のデータベースＤＢに予め記憶されている複数のキーワードと照合し（Ｓ１０５）、当該文字列がこれらキーワードのいずれかに一致するか否かを判定する（Ｓ１０６）。
【００３６】
図６は、データベースＤＢを概念的に示す図である。この図６に示すようにデータベースＤＢは、投薬の時間に係る複数のキーワードＫＴとそれぞれの投薬の時間とを対応付けると共に、薬剤の処方に係る複数のキーワードＫＱとそれぞれの薬剤の処方を示す語句とを対応付けたデータであり、記憶部１８に記憶されている。例えば、このデータベースＤＢは、サーバー３０の記憶デバイス（図示せず）に予め記憶されており、サーバー３０は、ネットワークを通じて携帯端末装置１０に当該データベースＤＢを送信し、携帯端末装置１０のネットワーク通信部１５がデータベースＤＢを受信して、制御部２１が当該データベースＤＢを記憶部１８に記憶させるものとされる。
【００３７】
例えば、制御部２１は、テキストＴＡ５に含まれる文字列「ｔ．ｉ．ｄ」がデータベースＤＢにおける投薬の時間に係るキーワードＫＴ「ｔ．ｉ．ｄ」に一致すると判断した場合（Ｓ１０６「Ｙｅｓ」）、キーワードＫＴ「ｔ．ｉ．ｄ」に対応付けられた投薬の時間「１日３回」をデータベースＤＢから読み出す（Ｓ１０７）。
【００３８】
また、制御部２１は、テキストＴＡ５に含まれる他の文字列「ｘ７」がデータベースＤＢにおける投薬の時間に係るキーワードＫＴ「ｘ７」に一致すると判断した場合は（Ｓ１０６「Ｙｅｓ」）、キーワードＫＴ「ｘ７」に対応付けられた投薬の時間「７日間」をデータベースＤＢから読み出す（Ｓ１０７）。
【００３９】
あるいは、制御部２１は、テキストＴＡ５に含まれる別の文字列「ｐ．ｏ」がデータベースＤＢにおける薬剤の処方に係るキーワードＫＱ「ｐ．ｏ」に一致すると判断した場合は（Ｓ１０６「Ｙｅｓ」）、キーワードＫＱ「ｐ．ｏ」に対応付けられた投薬の処方「経口」をデータベースＤＢから読み出す（Ｓ１０７）。
【００４０】
また、制御部２１は、テキストＴＡ６に含まれる文字列「＃42」がデータベースＤＢにおける薬剤の処方に係るキーワードＫＱ「＃42」に一致すると判断した場合は（Ｓ１０６「Ｙｅｓ」）、キーワードＫＱ「＃42」に対応付けられた投薬の処方「４２錠」をデータベースＤＢから読み出す（Ｓ１０７）。
【００４１】
そして、制御部２１は、キーワード「ｔ．ｉ．ｄ」、「ｘ７」を投薬の時間を示す「１日３回」、「７日間」に置き換え、更に、キーワード「ｐ．ｏ」、「＃42」を薬剤の処方を示す「経口」、「４２錠」に置き換えて、これら置き換えた後の各キーワードを示す画像を作成し、処方箋の変換画像ＰＢにおける、それまでの「ｔ．ｉ．ｄ」、「ｘ７」「ｐ．ｏ」、及び「＃42」を示す各画像を、「１日３回」、「７日間」、「経口」、及び「４２錠」を示す各画像に変換した新たな処方箋の変換画像ＰＢを作成する。制御部２１は、当該作成した新たな処方箋の変換画像ＰＢを表示部１１の画面に表示させる（Ｓ１０８）。これにより、図７に示すように、新たな処方箋の変換画像ＰＢには、各キーワードＫＴ「ｔ．ｉ．ｄ」、「ｘ７」の代わりに、各投薬の時間「１日３回」、「７日間」が表示されると共に、各キーワードＫＱ「ｐ．ｏ」、「＃42」の代わりに、各薬剤の処方「経口」、「４２錠」が表示される。
【００４２】
なお、制御部２１は、Ｓ１０３で抽出したテキストに含まれる全ての文字列がデータベースＤＢにおけるいずれのキーワードにも一致しなければ（Ｓ１０６「Ｎｏ」）、Ｓ１０７、Ｓ１０８を行うことがない。
【００４３】
ここで、図７に示す新たな処方箋の変換画像ＰＢには、投薬の時間及び薬剤の処方が分かり易く表示されているので、ユーザーが投薬の時間及び薬剤の処方を理解することができる。しかしながら、ユーザーにとっては、データベースＤＢにおけるいずれのキーワードにも一致しなかった、テキストＴＡ５における「ＴＴ錠」が未だに不明である。
【００４４】
この場合、例えば、ユーザーは、タッチパネル１２に対するタッチ操作により、図７に示す処方箋の元画像ＰＡ又は変換画像ＰＢにおける「ＴＴ錠」を示す表示領域部分を選択する。例えば、ユーザーは、処方箋の元画像ＰＡ又は変換画像ＰＢを示す画面上で２点をタッチ操作すると、タッチパネル１２により当該２点が検出され、制御部２１は、当該２点を対角線とする矩形領域を受け付ける。すなわち、ユーザーが、処方箋の元画像ＰＡ又は変換画像ＰＢを示す画面上で、「ＴＴ錠」を示す表示領域部分を上記対角線により示される矩形領域に含まれるように、２点をタッチ操作して指定すると、制御部２１が、「ＴＴ錠」を示す表示領域部分を含む矩形領域の選択を受け付ける（Ｓ１０９「Ｙｅｓ」）。このとき、制御部２１は、当該領域を検索対象として設定し（Ｓ１１０）、表示部１１の画面上で、処方箋の元画像ＰＡ又は変換画像ＰＢにおける上記選択された「ＴＴ錠」を示す表示領域部分の背景色を変更させる。
【００４５】
そして、ユーザーが、上記選択された領域に含まれる「ＴＴ錠」を表示部１１の画面上で確認して、検索キーＫ１１をタッチ操作すると、制御部２１は、タッチパネル１２を通じて、検索指示を受け付ける。制御部２１は、上記選択された領域に含まれるキーワードを特定する（ここでは、制御部２１は「ＴＴ錠」を示す画像を上記ＯＣＲ機能によりテキストに変換した時に、当該変換後のテキストからなる語句を記憶しておくものとする）。制御部２１は、ネットワーク通信部１５を通じて、例えばインターネット上の検索サイトにアクセスし、上記選択された領域に含まれるキーワード「ＴＴ錠」に対応する情報を検索サイトから取得して、この情報を表示部１１の画面に表示させる（Ｓ１１１）。例えば、制御部２１は、このように取得された情報が「２錠」である場合、図８に例を示すように、それまでの「ＴＴ錠」を示す画像から、当該「２錠」を示す画像に置き換えて、変換画像ＰＢ上に表示させる。
【００４６】
このとき、ユーザーが編集キーＫ１２をタッチ操作して、制御部２１が、上記表示した情報の編集指示を受け付けることを条件に、制御部２１が、例えばソフトキーボード等を表示部１１の画面に表示させるようにしてもよい。この場合、ユーザーが、ソフトキーボードをタッチ操作し、別の語句「３錠」を入力すると、制御部２１は、タッチパネル１２を通じて、当該入力された語句「３錠」を受け付け、当該入力された語句「３錠」を示す画像を作成して、上記「２錠」を示す画像に代えて、当該作成した「３錠」を示す画像を、変換画像ＰＢ上に表示させる。
【００４７】
このように上記取得された情報を表示部１１に表示させているときに、ユーザーが登録キーＫ１３をタッチ操作すると、制御部２１は、登録指示を受け付け、上記選択された領域に含まれるキーワード「ＴＴ錠」をキーワードＫＱとして設定すると共に、この時点で表示させている上記取得された情報に対応する語句（この例では「２錠」）を薬剤の処方を示す語句として設定し、キーワードＫＱ「ＴＴ錠」と薬剤の処方を示す語句「２錠」を対応付けて記憶部１８内のデータベースＤＢに記憶させて、データベースＤＢを更新する。
【００４８】
この後、制御部２１は、図８に示す処方箋の変換画像ＰＢを記憶部１８に記憶させる（Ｓ１１３）。更に、制御部２１は、Ｓ１０７で取得した投薬の時間「１日３回」、「７日間」に基づき、例えば図９に示すようなスケジュールデータＳＤを作成して、このスケジュールデータＳＤを記憶部１８に記憶させる（Ｓ１１４）。この後、処理は終了する。図９に示すスケジュールデータＳＤは、投薬の時間が「１日３回」、「７日間」となっているので、７日間にわたって毎日、「１日３回」の場合の時間として予め設定された７時、１２時、及び１８時にアラームを繰り返し発生させることを示すものとする。また、例えば投薬の時間が「１日３回」、「食前」、「５日間」となっている場合は、スケジュールデータＳＤが、「１日３回」かつ「食前」の場合の時間として予め設定された６時４５分、１１時４５分、１７時４５分に、５日間にわたって毎日、アラームを繰り返し発音させることを示すものとする。あるいは、投薬の時間が「１日３回」「食後」である場合は、スケジュールデータＳＤが、「１日３回」かつ「食後」の場合の時間として予め設定された７時４５分、１２時４５分、１８時４５分にアラームを繰り返し発音させることを示すものとなる。
【００４９】
なお、Ｓ１０９において、上記検索対象を設定するための指定をユーザーから制御部２１が受け付けなかった場合には（Ｓ１０９「Ｎｏ」）、Ｓ１１０、Ｓ１１１の処理は行われない。
【００５０】
次に、上記のスケジュールデータＳＤに基づき投薬の時間を報知する処理を、図１０に示すフローチャートを参照して詳細に説明する。
【００５１】
制御部２１は、計時部２２より計時された時間と、上記のスケジュールデータＳＤから投薬の時間とを常に照合して（Ｓ２０１）、計時部２２より計時された時間が投薬の時間に一致するか否かを判定する（Ｓ２０２）。制御部２１は、計時された時間が投薬の時間に一致しないと判断した場合は（Ｓ２０２「Ｎｏ」）、Ｓ２０１、Ｓ２０２を繰り返す。
【００５２】
また、制御部２１は、計時された時間が投薬の時間に一致すると判断した場合は（Ｓ２０２「Ｙｅｓ」）、アラーム発音部１６によりアラームを発音させると共に（Ｓ２０３）、記憶部１８に記憶されている処方箋の変換画像ＰＢを表示部１１の画面に表示させる（Ｓ２０４）。この後、処理はＳ２０１に戻る。例えば、スケジュールデータＳＤが図９に示すものである場合、制御部２１は、当該スケジュールデータＳＤに従って、７日間にわたって毎日、７時、１２時、及び１８時にアラーム発音部１６により繰り返しアラームを発音させる。
【００５３】
このように処方箋の画像に記載されている投薬の時間を示すスケジュールデータＳＤに基づき、投薬の時間にアラームが発音されるので、ユーザーが投薬の時間を忘れずに済む。
【００５４】
なお、上記実施形態では、データベースＤＢを携帯端末装置１０の記憶部１８に記憶させて、携帯端末装置１０の制御部２１が図３に示すフローチャートの処理を行っているが、携帯端末装置１０がデータベースＤＢを有さずに、サーバー３０が、その記憶部にデータベースＤＢを記憶しているようにしてもよい。この場合、携帯端末装置１０の制御部２１がネットワーク通信部１５を介して、サーバー３０と通信することにより、図３に示したフローチャートの処理の一部（Ｓ１０５、Ｓ１０６、Ｓ１０７）を行う。この実施形態では、携帯端末装置１０及びサーバー３０が、本発明に係る投薬時間報知システムの一例となる。
【００５５】
また、本発明係る情報処理装置として、上記では、携帯端末装置１０を例にして説明しているが、この代わりに、撮像カメラ、表示部、操作部等を備える他の電子機器を適用してもよい。例えば、撮像カメラとして利用可能なスキャナーを備えるＰＣ（Personal Computer）又は画像形成装置（複合機）等を情報処理装置として適用することが可能である。
【００５６】
また、図１乃至図１０を用いて説明した上記実施形態及び変形例の構成及び処理は、本発明の一例に過ぎず、本発明を当該構成及び処理に限定する趣旨ではない。
【符号の説明】
【００５７】
１０    携帯端末装置
１１    表示部
１２    タッチパネル
１３    物理キー
１４    撮像カメラ
１５    ネットワーク通信部
１６    アラーム発音部
１８    記憶部
１９    制御ユニット
２１    制御部
２２    計時部
３０    サーバー
【図１】
2020057204.tif 000003
【図２】
2020057204.tif 000004
【図３】
2020057204.tif 000005
【図４】
2020057204.tif 000006
【図５】
2020057204.tif 000007
【図６】
2020057204.tif 000008
【図７】
2020057204.tif 000009
【図８】
2020057204.tif 000010
【図９】
2020057204.tif 000011
【図１０】
2020057204.tif 000012